(57)【要約】      （修正有）【課題】カラーコーンを利用した携帯性に優れ、高さ調整の可能な看板を提供する。【解決手段】看板１の裏側２を備有する複数の基軸基盤９、１０に複数個の孔を穿設し、基軸基盤９、１０を繋ぎ紐輪２２で吊設し、上下に折り重ね形成と孔の選択により、カラーコーンに支承する。【選択図】図５
2005331894.tif 000002
【特許請求の範囲】
【請求項１】
上記課題を解決するために本発明において、任意形状看板の該看板裏側を、任意所要位置に対向の左右側の縁端に一対の任意形状保持具を被係止部に挟着した盤面の形成にを、所要形状の盤面横並び任意穿設で任意数の平盤板とに、任意所要形状の盤面に並列の任意穿設を任意数に、先開けた穴に応じ直列の任意穿設が任意数の平盤板に、該平盤板の連係い動作の得る適宜位置を任意紐輪形状に相互に繋合う任意数の介装とが、任意先錐体に嵌装を得るようにした設け構体ことを特徴とする看板の形設方法。
【発明の詳細な説明】
【産業上の利用する技術分野】
【０００１】  本発明は、誘導や注意喚起を促す看板に、複数盤板構成を円錐体に載置する支承した合体構成ことを前提した、看板の形設方法に関する技術である。
【背景技術】
【０００２】  従来、看板を地面に据え置き、促す視線誘導や注意喚起に見分けに枚挙にいとまない。（特許  第３３８０８３７）背景の第１図は立設、立看板（以下  平看板と称する）やや傾保つ直立付設（図示せず）を前提している斜面図を示す。第２図〜第３図は地面に据え置きの前提している看板を示す、第２図は三角形状看板の斜面図。第３図は逆Ｖ字形看板の開き斜面図を示す、その収納をＩ字形するに裏側両面を併せる（図示せず）。（「標識ガイドブツク」日本消防標識工業会カタログ。トウアン株式会社カタログ。）前記、立体的な多様デザイン（公知）に得られの利点が多い、最良視点は下向（図示せず）に興味がうすい。用材に木枠とトタン、鉄板、アルミニウム合金、塩化ビニール樹脂の枠組、組み合わせる、例は、矢印板は鋼鉄フレームと鉄板に重量感の組み立て、枠など製造方法に表現する技能向上される製作する。（特許公開平０９−１８５３２７及び特許公開２００１−３１８６３３）第４図は、共営する円錐体は細長形（主として、ポリエチレン樹脂）成形に、一部肉厚断面の斜面図を示す。はに任意選定である。（前記  市販品カタログ）【特許文献１】特許第３３８０８３７
【特許文献２】特許公開平０９−１８５３２７
【特許文献３】特許公開２００１−３１８６３３
【非特許文献１】トウアン株式会社  カタログ
【非特許文献２】標識ガイドブツク  日本消防標識工業会  カタログ
【発明の開示】
【発明が解決しようとする課題】
【０００３】  しかしながら、看板を地面に据え置きの前提した表現構造に、視点が下向き意図に認知効率は低い、現場周囲は常に同じであるとは限らない。上記、該看板の破損を防ぐ堅固な造り所要形状は、移動手段に選ぶ乗用車の狭き空間ペースに積載の不向き改善の要請問題点がありつた。上記と、常に共営する円錐体に下面（直径）ベースを定め、その任意頂点（高さ）に利便な斜面角度の横断面直径が異なり、所期形態の活用が得られない問題点がありつた。本発明は、上記のものが持つ以上のような啓発問題点を解決なされたものであり、その目的は、看板と円錐体に兼有の見地効果を提供することするものである。
【問題点を解決するための手段】
【０００４】  上記課題を解決するために本発明において、任意形状看板の該看板裏側を、任意所要位置に対向の左右側の縁端に一対の任意形状保持具を被係止部に挟着した盤面の形成にを、所要形状の盤面横並び任意穿設で任意数の平盤板とに、任意所要形状の盤面に並列の任意穿設を任意数に、先開けた穴に応じ直列の任意穿設が任意数の平盤板に、該平盤板の連係い動作の得る適宜位置を任意紐輪形状に柤互に繋合う任意数の介装とが、任意先錐体に嵌装を得るようにした設け構体ことを特徴とする看板の形設方法。
【作用と構成】
【０００５】  上記、詳いに、看板裏側は基軸盤板と副基軸盤板に、先錐形体を二構成に設けられる。該看板構造を、基軸盤板９の平面に等間隔に正円穿直径１３、１４、１３糎を開け、次に、副基軸盤板１０等間隔に並列正円穿直径８、９、８糎に開け、沿いに応じる等間隔に直列に同じく正円穿直径１０、１０、１０糎配列を備有し、基軸盤板９、１０を繋ぎ紐輪を介在させ互いに吊設形態し、更に、該看板裏側２に備えを任意形状縦中心位置に、横長方向に沿い両側に突設の固定金具が被係止部させる、挟着の間に  盤面形成にを基軸盤板９、１０を繋ぎ紐輪備えに、取付た押し込みピンを軸支に関連構成して該看板１に保持される。上記、具設の穴に直径要素に適宜組み替え、両基軸盤坂９、１０の嵩ねて置く関連形態の嵌合態様、その円錐体の側面角度、三角か柱の斜面の辺（角）に単か複数に両係止させ支承可能する、且つ、逆さま置き換える可逆方法に、単、複数同一原理効果を示す、例に矢印方向は反対方向を示す兼有は併せ持つている。
【効果】
【０００６】  上述べの如く、看板裏側の被係止部に、基軸盤板に穿の直径の異なる合う複数の並列配置されに、従う屈設の副基軸盤板に横並に直径の異なる配置と、縦並の直径を横並と異なる合う複数配置に両盤板を紐輪に介在する県装あつて、穴は円錐体に載置の係止位置は、外側横断面の直径と同径、多様に組み合う成形と単体か複数体に関連構成は、所要の高さに視点、移転に携帯性を持つて、且つ、軽量化に大型化が周囲に視野効果が新鮮さを兼有表現させる。
【発明の実施するための最良の形態・実施例】
【０００７】  以下、本発明の実施例を示す付図面に基にづいて詳細に説明する、同様の部材には同じ番号を付して説明を省略する。第５図は実施例の看板態様に応じる適宜用材から任意選択に求めた看板表１、看板裏２は、用材に縦長Ａや横長Ｂ方形に対応の機能説明を示す、例えば、木材、合板、鉄板、塩化ビニール樹脂のようなプラスチックを任意選沢し、更に、軟質板・硬質素材板を用いられる、任意平面加工形状は任意基本形が縦長、横長か、正方形、長方形の共通形状の（後述べる）形成される。共営の円錐体（以下  商品名  カラーコンと称する）である。次に、第６図は該看板の要部図面一実施例の基軸盤板９と副基軸盤板１０に、共営の該カラーコン２５、２６、介在させ対応の略図の縦断面機能説明を示す、該裏側２に縦中心位置に、横方向に側面の両左右に対向させ突出固定金具３、４には、ネジ穴５、６備え取り付け（後述べる）は係止部７、８とする、係止部７、８の間に挟む横向Ｔ形に設ける該基軸盤板９と副基軸盤板１０は同じ用材の大きさ（側面厚さ、幅、長さ）個所の挿込み木ネジ１１、１２に連垂れた上下折曲自在に支持させる。上記用材を木材、合板、鉄板、塩化ビニール樹脂から任意形状に選択縦長できる。第７図は先の該基軸盤板９の横一辺端縁を半円弧カットした平面図に示す、平板は厚さ２糎、縦の長さ７０糎、幅２７糎の横長方形に、横長に四等分の間隔に直径１３、１４、１３糎（以下数値、糎をａ、ｉ、ｕに換えて称す）各正円開ける穿孔した「あけた穴」は、左右２個は同じ口径に中間を大きい穴、更に、縁端を所要位置に貫通紐穴１３、１４、１５、１６の開ける。第９図に繋ぎ紐輪、２１、２２、２３、２４で吊設した基軸盤板９、１０を簡略略図に示す。次に、第８図に示す副基軸盤板１０を平面図平板は、厚さ２糎、縦の長さ７０糎、幅２２糎、横長方形に四等分の間隔に直列に  直径８、９、８糎（以下数値、糎をｋａ、ｋｉ、ｋｕに換えて称す）各正円開ける穿孔「あける穴」左右２個は同じ口径に中間は大きい穴、更に、横並に  直径１０、１０、１０糎（以下数値糎ｓａ、ｓｉ、ｓｕに換えてと称す）端所を要位置に貫通紐穴１７、１８、１９、２０の開け、繋ぎ紐輪、２１、２２、２３、２４である、上記、該基軸盤板９が側面各ピンに振れる動く作動が形成に  基軸盤板１０を介し一連構成の簡略略図に、係わる該カラーコン２５、２６、２７は、下面を定めベース３８５×３８５糎角型とし、円錐形底面に、高さは任意所要形状約７００（公認指定）、９００、１２００、１８００糎の市販品である、本発明に対応を第５図に一連構成を簡略略図に係わる該カラーコン詳細に述べる。
【作用の例１】
【０００８】
2005331894.tif 000003
（以下省略する）にを実施使用するに、カラーコーン２５にａと同じく、カラーコーン２６にｕ合わす、又は、カラーコーン２７にｉ合わす、副基盤板１０は垂れ下がるｓａ、ｓｉ、ｓｕ／ｋａ、ｋｉ、ｋｕ不使用、第５図は形態態様の係合穴はカラーコン斜面横断面と口径に止まる。
【作用の例２】
【０００９】    基軸盤板９を上側に嵩ねて置くに並列ａ、ｉ、ｕ不使用に、即ち、口径は遊嵌接（遊びを持たせてはまる）、実施使用を副基盤板１０直列ｋａ、ｋｉ、ｋｕにする、カラーコーン２６にｋａと同じく、カラーコーン２５にｋｕ合わす示す、又は、カラーコーン２７にｋｉ合わす、並列ｓａ、ｓｉ、ｓｕ偏移設にして不使用、第５図は形態態様を係合穴はカラーコン斜面横断面と口径に止まる。
【作用の例３】
【００１０】基  軸盤板９上側に嵩ねて置くに、並列ａ、ｉ、ｕ不使用、即ち、口径が遊嵌接（遊びを持たせてはまる）、実施使用する副基盤板１０直列ｋａ、ｋｉ、ｋｕ偏移設にして不使用に、該副基盤板１０並列ｓａ、ｓｉ、ｓｕカラーコーン２６にｓａと同じく、カラーコーン２７にｓｕ合わす、又は、カラーコーン２５にｓｉ合わす、第５図は形態態様を係合穴はカラーコン斜面横断面と口径に止まる。
【逆作用の例４】
【００１１】
2005331894.tif 000004
同一原理によって本発明の実施例は、該看板２の基軸盤板９ａ、ｉ、ｕ使用するに、単にカラーコーン２５にａと同じく、２６にｕ合わす、又は、カラーコーン２７にｉ合わす、副基軸盤板１０ｓａ、ｓｉ、ｓｕ  ／ｋａ、ｋｉ、ｋｕ不使用  垂れ下がる、第５図は形態態様を係合穴はカラーコン斜面横断面と口径に止まる。
【逆作用の例５】
【００１２】    基軸盤板９ａ、ｉ、ｕ上側に嵩ねて置くに不使用，実施使用する副基軸盤板１０ｋａ、ｋｉ、ｋｕは、カラーコーン２５にｋａ合わすと同じくカラーコーン２７にｋｕ合わす、又は、カラーコーン２６にｋｉ合わす、にｓａ、ｓｉ、ｓｕ偏移設に不使用に、第５図は形態態様を係合穴はカラーコン斜面横断面と口径に止まる。
【逆作用の例６】
【００１３】    基軸盤板９ａ、ｉ、ｕ上側に嵩ねて置くに不使用、副基軸盤板１０ｋａ、ｋｉ、ｋｕ偏移設に不使用に、実施使用する副基軸盤板１０ｓａ、ｓｉ、ｓｕは、カラーコーン２５にｓａ合わすと同じくカラーコーン２６にｓｕ合わす、又は、カラーコーン１個２７にｓｉ合わす、第５図は形態態様を係合穴はカラーコン斜面横断面と口径に止まる。
【００１４】上記、上側に嵩ねて置く場合施しに作動、穴組み合わせて  二個の円錐形に掛け『なお、これ以上の詳細は図面から明らかであるし、かつ当業者にとつて自明であるので、構造と構成体からの合体形成による方法の言及しないこととする』
【産業上の利用可能性】
【００１５】この発明は、看板を携帯可能にして、特に、看板と共営するカラーコーンに目立つ嵌着体型に、均衡荷重に路面に接する面が広い安定性した支持体は、特に、複数の支柱間に大型が可能に、破損を防ぎ常に新鮮さを表現る、高さの調整機能を求める利点。
【図面の簡単な説明】
【００１６】【図１】は従来の平看板状態の主してななめ傾く斜視図
【図２】は従来の固定三角据え置き看板状態の斜視図
【図３】は据え置きに二つ折り畳み逆Ｖ型看板状態の斜視図
【図４】は共営カラーコーンＡ、Ｂ、Ｃ、単体の縦方向一部断面図
【図５】は看板裏側の施す盤板とカラーコン上下側に嵩ねて置く背面図から概要の説明図
【図６】は任意看板と両基軸盤板カラーコーン単、副の態様するＡ，Ｂ説明図
【図７】は基軸盤板に穴の施し説明する斜視図、
【図８】は副基軸盤板に穴の施し斜視図
【図９】は両基軸盤板を相互に繋ぎ紐輪施し  説明の斜視図、
【図１０】は看板に施す構造の斜視図、
【符号の説明】
【００１７】  １  看板表側  ２  看板裏側  ３  突出固定金具  ４  突出固定金具  ５  ネジ穴  ６  ネジ穴  ７  係止部  ８  係止部  ９  基軸盤板１０  副基軸盤板１１  挿込み木ネジ１２  挿込み木ネジ１３  貫通紐穴１４  貫通紐１５  貫通紐穴１６  貫通紐穴１７  貫通紐穴１８  貫通紐穴１９  貫通紐穴２０  貫通紐穴２１  繋ぎ紐輪２２  繋ぎ紐輪２３  繋ぎ紐輪２４  繋ぎ紐輪２５  カラーコン２６  カラーコン２７  カラーコン
【図１】
2005331894.tif 000005
【図２】
2005331894.tif 000006
【図３】
2005331894.tif 000007
【図４】
2005331894.tif 000008
【図５】
2005331894.tif 000009
【図６】
2005331894.tif 000010
【図７】
2005331894.tif 000011
【図８】
2005331894.tif 000012
【図９】
2005331894.tif 000013
【図１０】
2005331894.tif 000014